(57)【要約】【課題】マイナスイオンを適正に発生し空気流との吹出し方向を可変とする空調装置等への組込みに好適なマイナスイオン発生器を提供する。【解決手段】空気通路７内に、針状の負電極１と、負電極１に高電圧を印加する直流電源３を配置し、空気通路７の吹出し口６には、負電極１との対向関係を適正に保持するため可動可能に配設すると共に、１０9Ω〜１０12Ωの電気抵抗値を有する導電性樹脂から成り、かつマイナスイオンが空気流とともに通過する流路を構成する正電極２としての複数のフィン２ａを設け、両電極１、２の対向関係を常時、適正に保持してマイナスイオンを適正に発生し空気流との吹出し方向を任意に変えることができる。【選択図】  図２
2006004836.tif 000002
【特許請求の範囲】
【請求項１】
針状の負電極と、負電極と所定間隔を隔てて対向配置された正電極とを有し、負電極と正電極の間に高電圧を印加して負電極と正電極との間に微弱なコロナ放電による放電閉回路を形成し、負電極と正電極との間にマイナスイオンを発生させるマイナスイオン発生器であって、正電極は、導電性材料から成ると共に、負電極との対向関係を適正に保持するように可動可能に配置し、かつマイナスイオンが通過する流路を構成して成ることを特徴とするマイナスイオン発生器。
【請求項２】
可動可能な正電極は、負電極ののびる方向に対して平行な方向と傾斜する方向との間を揺動可能に配置することを特徴とする請求項１に記載のマイナスイオン発生器。
【請求項３】
可動可能な正電極は、電気抵抗値が１０9Ω〜１０12Ωであることを特徴と有する請求項１または請求項２の一に記載のマイナスイオン発生器。
【請求項４】
可動可能な正電極は、空気流の流れの方向を可変とし空気流の吹出し流路を複数のフィンにより構成すると共に、負電極に対向するフィンの先端部が、負電極に近接するフィンより遠方のフィンを突出形成し、負電極と可動するフィンの先端部との対向関係を適正に保持するようにしたことを特徴とする請求項１ないし３のいずれか１項に記載のマイナスイオン発生器。
【発明の詳細な説明】
【技術分野】
【０００１】
本発明は、空気流との流れの方向を可変とし、この可変に対応して正電極が負電極との対向関係を適正に保持してマイナスイオンを適正に発生し得るマイナスイオン発生器に係り、これを適用する空調機や空気清浄機等における空気の吹出し口にその吹出し方向を任意に可変とし得る組込みが容易で、小型かつ低コストなマイナスイオン発生器に関する。
【背景技術】
【０００２】
従来、マイナスイオン発生器には、送風部を内蔵した機器の吹出し口に取付け可能に設けた取付け部と、機器から導入された風を外部に導出する風洞部と、風洞部内に配置されマイナスイオンを生成させる放電極と、放電極への電源供給回路とを備え、機器の吹出し口にはルーバーが設けられたマイナスイオン発生器がある（例えば、特許文献１）。
【特許文献１】特開２００３−５９６２１号公報
【発明の開示】
【発明が解決しようとする課題】
【０００３】
従来のマイナスイオン発生器は、マイナスイオンの発生方法が一般的なコロナ放電あるいは電子放射方式といわれる方法であり、放電極の対極を構成する正電極側が金属もしくは大地アースで形成される。コロナ放電は、金属製の針電極（負電極）と金属製の正電極との間に高電圧を印加するため、電極間の最短位置（距離）でコロナ放電が集中的に発生する。従って、電極間の空気のイオン化エネルギーが集中して、本来のマイナスイオンの他に、有害なオゾンや窒素酸化物までもが生成される。
【０００４】
さらに、電子放射方式は、無限遠方空中へのコロナ放電形式のため、空気をイオン化するために空気のコロナ放電開始電圧以上の高電圧を前記負極となる針電極に印加する必要がある。一般的に空気のコロナ放電開始電圧は大気圧、常温常湿下において約４ＫＶ/ｍｍであるが、空気をイオン化してマイナスイオンを発生させるためには、これ以上の高電圧を印加する必要がある。一般的には５ＫＶから６ＫＶの高電圧が印加される。しかし、この場合も前記同様に空気へのイオン化エネルギーが高くなり、有害物質であるオゾンや窒素酸化物を発生するのである。
【０００５】
また、従来のマイナスイオン発生器は、吹出し口が金属ではなく、樹脂と想定される。吹出し口が金属の場合には前記と同様に有害物質の発生の課題になる。吹出し口が樹脂で構成される場合、一般的な樹脂材料はその固有電気抵抗値が１０15Ω以上と極めて高いため、放電極からの高電圧が誘導されて、吹出し口が帯電して、マイナスイオンの発生が抑制されることも考えられる。
以上のように、従来使用されている樹脂材料は、それ自体の高い電気抵抗値によって静電気帯電が生じ、ゴミ等の付着による汚れや、マイナスイオン発生量の低下など実用上解決すべき幾多の課題を有する。
【０００６】
本発明は、上記事実を考慮して、空気流との流れの方向を可変とし、この可変に対応して正電極が負電極との対向関係を適正に保持してマイナスイオンを適正に発生し得るマイナスイオン発生器を提供し、これを適用する空調機や空気清浄機等における空気の吹出し口にその吹出し方向を任意に可変とし得る組込みが容易で、小型かつ低コストなマイナスイオン発生器を得ることが目的である。
【課題を解決するための手段】
【０００７】
上記目的を達成するために請求項１に記載の発明に係るマイナスイオン発生器は、針状の負電極と、負電極と所定間隔を隔てて対向配置された正電極とを有し、負電極と正電極の間に高電圧を印加して負電極と正電極との間に微弱なコロナ放電による放電閉回路を形成し、負電極と正電極との間にマイナスイオンを発生させるマイナスイオン発生器であって、正電極は、導電性材料から成ると共に、負電極との対向関係を適正に保持するように可動可能に配置し、かつマイナスイオンが通過する流路を構成して成ることを特徴とする。
【０００８】
また、請求項２に記載の発明に係るマイナスイオン発生器は、可動可能な正電極が、負電極ののびる方向に対して平行な方向と傾斜する方向との間を揺動可能に配置されることを特徴とする。
【０００９】
さらに、請求項３に記載の発明に係るマイナスイオン発生器は、可動可能な正電極が、電気抵抗値を１０9Ω〜１０12Ωとしたことを特徴とする。
【００１０】
また、請求項４に記載の発明に係るマイナスイオン発生器は、可動可能な正電極が、空気流の流れの方向を可変とし空気流の吹出し流路を複数のフィンにより構成されると共に、負電極に対向するフィンの先端部が、負電極に近接するフィンより遠方のフィンを突出形成し、負電極と可動するフィンの先端部との対向関係を適正に保持するようにしたことを特徴とする。
【００１１】
本発明の具体的なマイナスイオン発生器は、例えば、針状の負電極と、負電極と間隔を隔てて対向配置され可動可能な構造で１０9Ω〜１０12Ωの電気抵抗値を有する導電性樹脂から成り、マイナスイオンが通過す流路を形成する正電極とを有する。可動可能な正電極は、空気流の方向を可変にする複数のフィンから成り、空気の吹出し口に装備してなる。そして、本発明の具体的なマイナスイオン発生器は、例えば、負電極と対向する複数のフィンのうち先端部が、負電極に近接するフィンより遠方のフィンを突出形成し、負電極と可動するフィンの先端部との対向関係を適正に保持する構成である。そして、負電極と正電極の間に高電圧を印加して負電極と正電極との間に微弱なコロナ放電による放電閉回路を形成し、負電極と正電極との間にマイナスイオンを発生するものである。
【００１２】
すなわち、本発明の具体的なマイナスイオン発生器は、これを装着する送風部と空気通路を有する機器にあって、空気通路の内部に針状の負電極と負電極に高電圧を印加するための直流電源を配置して成る。空気通路の出口すなわち空気の吹出し口には、導電性樹脂から成りマイナスイオンが通過す流路を形成する可動可能な正電極としての複数のフィンを有する。そして、複数のフィンの可動に対応して負電極と複数のフィンの先端部との対向関係を適正に保持してマイナスイオンを適正に発生させ、空気の吹出し口から空気流とともにマイナスイオンを放出し、可動可能な複数のフィンにより空気流とのマイナスイオンの放出方向を任意に変えることができる。
【発明の効果】
【００１３】
本発明に係るマイナスイオン発生器は、空気の吹出し口を形成する可動可能な正電極の可動範囲を制御することにより、マイナスイオンの吹出し方向を任意に変えることができる。そして、負電極に対向配置された正電極の先端部の方向が変化しても負電極と正電極の先端部との対向関係を適正に保持することができる。すなわち、両電極の対向間隔を常に適正に保持、例えば、ほぼ一定に保つことができる。このため、本発明に係るマイナスイオン発生器は、マイナスイオンを適正に発生させ、マイナスイオン発生量の安定化を図り、信頼性を向上するなど多大の作用、効果を実奏する。
【００１４】
また、本発明に係るマイナスイオン発生器は、従来の空気の吹出し口にカーボンなどの導電性フィラーを適量添加することにより、吹出し口を適度な電気抵抗値となして静電気帯電を抑制することができる。さらに、可動可能とした正電極を１０9Ω〜１０12Ωの電気抵抗値を有する樹脂材料により構成することにより、負電極との間に形成されるコロナ放電が微弱で、かつ正電極全体に分散するため、両電極間の空気へのイオン化が極めて弱くなり、オゾンや窒素酸化物などの有害物質が発生することは殆んどなくなる。
【００１５】
以上の構成からなる本発明のマイナスイオン発生器は、純粋なマイナスイオンを効果的に発生させることができ、有害物質が含まれない安全なリラクゼーション環境を創生でき、マイナスイオン空間を室内や車室内などに提供することができる。マイナスイオンの人体への生理的効果は、ストレス緩和、リラクゼーション、疲労の早期回復などとして一般的に知られている。従って、本発明による純粋なマイナスイオンの発生は、従来では創生できなかった快適なリラクゼーション環境を極めて簡単な方法により達成でき、ストレス社会と言われる現代の病を癒し、人体などに対して心身共にリラックスできる理想的な空間環境を的確に提供することができる。
【発明を実施するための最良の形態】
【００１６】
本発明の実施の形態に係るマイナスイオン発生器は、針状の負電極と、負電極と間隔を隔てて対向配置された正電極とを有する。正電極は、負電極との対向関係を適正に保持するように可動可能な構造で配置されると共に、導電性樹脂から成り１０9Ω〜１０12Ωの電気抵抗値を有し、かつマイナスイオンが通過する流路である空気の吹出し口に配置してなる。可動可能な正電極は、空気流の方向を変える複数のフィンからなり、負電極と対向するフィンの先端部が、負電極に近接するフィンより遠方のフィンを突出形成した構成で、負電極と可動するフィンの先端部との対向関係を常時、適正に保持するように構成されている。そして、本実施の形態に係るマイナスイオン発生器は、負電極と正電極の間に高電圧を印加して負電極と正電極との間に微弱なコロナ放電による放電閉回路を形成し、負電極と正電極との間にマイナスイオンを適正に発生するように構成されている。
【００１７】
正電極は、その電気抵抗値が１０9Ω以下では金属製の針電極（負電極）と金属製の正電極との間に高電圧を印加した場合と同様に電極間の最短位置（距離）でコロナ放電が集中的に発生するようになる。従って、電極間の空気のイオン化エネルギーが集中して、本来のマイナスイオンの他に、有害なオゾンや窒素酸化物が生成される。また、正電極の電気抵抗値が１０12Ω以上では、負電極と正電極との間におけるコロナ放電が生じにくくなって、マイナスイオンを効率的に発生できない。
【００１８】
本実施の形態に係るマイナスイオン発生器は、正電極をフィン構造としたことにより、空気流およびマイナスイオンの吹出し方向が横型、縦型、傾斜型などいずれでも、また吹出し口の形状が丸型、角型などいずれでも適応が可能だからである。負電極１の先端と正電極２との対向間隔は５〜１５ｍｍが望ましい。５ｍｍ以下では両電極の間隙が接近するため、コロナ放電が強くなり、オゾンや窒素酸化物が発生し易くなる。また、１５ｍｍ以上では逆にコロナ放電が生じにくくなり、マイナスイオンの発生が極めて少なくなる。
【００１９】
本実施の形態に係るマイナスイオン発生器は、正電極が空気およびマイナスイオンの放出方向を可変とする可動可能な複数のフィンにより構成されるため、負電極との対向関係を常時、適正に保持するには、すなわち両電極の対向間隙を適正に保持し、例えばほぼ一定に保つには、フィンの方向変更に連動して負電極が正電極側に近接するようにクランク機構やリンク機構などを連接装備しても良い。また、負電極の後方部に送風機（ファン）を設けることにより、マイナスイオンを遠方まで効率的に放出することができる。
【００２０】
本実施の形態に係るマイナスイオン発生器は、正電極を形成する導電性材料が、高分子材料に付与する導電性フィラーの分散量を調整することにより、所望の導電性を得ることができる。本実施の形態に係るマイナスイオン発生器においては、正電極が１０9Ω〜１０12Ωの電気抵抗値であれば効率的に純粋なマイナスイオンを発生することができる。好ましくは１０11〜１０12Ωの電気抵抗値である。
【００２１】
本実施の形態に係るマイナスイオン発生器は、高分子材料に導電性を付与する場合、導電性フィラーが分散される樹脂を特に限定されるものではない。すなわち、熱可塑性樹脂、熱硬化性樹脂などに限定されなく、樹脂としては、例えば、ＡＢＳ、ポリプロピレン、アクリル等の樹脂をあげることができる。
【００２２】
（具体的な実施例）
本発明の具体的な実施例のマイナスイオン発生器を図１に基づき構成、原理を説明する。本実施例のマイナスイオン発生器は、針状の負電極1と、負電極１と間隔を隔てて対向配置され可動可能な構造で１０9Ω〜１０12Ωの電気抵抗値を有する導電性樹脂から成る正電極２とを有する。可動可能な正電極２は、互いの配列間隙間を空気流とともにマイナスイオン５が通過する流路としての開孔部４を構成し、空気の吹出し口に装備されている。すなわち、可動可能な正電極２は、複数のフィン２ａからなり、複数のフィン２ａが空気流の方向を変えるために支持部材２ｃの支持部を支点として所定範囲を回動可能に連接装備されている。これにより、本実施例のマイナスイオン発生器は、負電極１と正電極２の間に直流電源３により高電圧を印加して両電極１、２の間に微弱なコロナ放電による放電閉回路を形成し、負電極１と正電極２との間にマイナスイオン５を発生させる。このマイナスイオン５は、空気流との流れの方向を制御する複数のフィン２ａの間に形成される開孔部４を通じて所定の方向に吹出すように構成されている。
【００２３】
かかる構成からなる本実施例のマイナスイオン発生器は、負電極１と正電極２との間に生じるコロナ放電が正電極２の高い導電性のため、極めて微弱な放電となり正電極２から直流電源３へ流れる放電電流は微弱となる。これにより、本実施例のマイナスイオン発生器は、オゾンや窒素酸化物などを含まない純粋なマイナスイオンを発生させることができる。そして、本実施例のマイナスイオン発生器は、正電極２である複数のフィン２ａが互いに連動して可動する構造により、マイナスイオン５の放出方向を任意に可変とする構成であり、マイナスイオン５を要求する人などに対して、有害物質のない安全なマイナスイオン空間を効率的に提供することができる。
【００２４】
本実施例のマイナスイオン発生器は、図２に示すように、エアコンの吹出し口は、その風向を変えるため、複数のフィン２ａが装備されている。このフィン２ａを用いて負電極１を空気通路内に固定した場合、風向を変えるために複数のフィン２ａを可動すると、図２中の（ａ）、（ｂ）、（ｃ）のように負電極1の先端から所定のフィン２ａの先端までの距離が、それぞれ最短のＡから中間のＢ、最長のＣとそれぞれ変化してしまう。従って、負電極１と正電極２である所定のフィン２ａの先端との距離は、可動により長短変化して最長の場合には、コロナ放電が比例的に弱くなるため、これに比例してマイナスイオンの発生量も低下することとなる。本実施例における正電極２は、風向を変えるために可動機構により複数のフィン２ａを可動した場合、マイナスイオンを適正に発生させマイナスイオンの発生量を安定化するには実用上問題はないが、万全ではない。
【００２５】
これを解消し好適化を図りマイナスイオンを適正に発生してマイナスイオン量の安定化を図る実施例を図３に基づき説明する。図３に示す実施例は、負電極１に近接し正電極２としての中央に配設するフィン２aがクランク２bにより、負電極１と連動可能に連結されている。また、負電極1は、複数のフィン２ａがその吹出し口の方向を変える際の可動に対応して、負電極1自体がレール２ｄに係合されスライド可能に構成されている。これにより、本実施例は、複数のフィン２ａをその吹出し口の方向を変えるには、図３中（ａ）に示す負電極１ののびる方向に対して平行関係の位置から図３中（ｂ）、（ｃ）に示す負電極１ののびる方向に対して傾斜する関係の位置へと支持部材２cを矢印方向に順次可動する。これにより、正電極２としてのフィン２aのうちいずれかは、クランク２ｂにより負電極1に牽引され近接する位置に配置され両電極１、２の対向関係を適正に保持するように構成されている。
【００２６】
すなわち、本実施例は、図３に示すように、複数のフィン２ａにおける吹出し口の方向を可変としてもクランク２ｂの機構により、負電極１と正電極２であるフィン２ａの先端部との最短距離を常時、ほぼ一定に保持することができる。これにより、マイナスイオンを適正に発生することができ、その発生量の安定化を図ることができる。
【００２７】
さらに、好適な実施例を図４に基づき説明する。本実施例は、前記実施例とは負電極1をスライド可能にするレール２ｄと、フィン２ａなどに連結するクランク２ｂの機構とを全く不要にする点が異なる。すなわち、図４中（a）に示すように、正電極２である複数のフィン２ａのうち、負電極１に対向近接するフィン２ａより、遠方のフィン２ａ１、２ａ２が順次、突出形成され長く構成されている。そして、本実施例において図４中（ｂ）に示すように、マイナスイオンとの空気流の吹出し方向を変えるために複数個が一体的に連動可能された複数のフィン２ａを左右移動させる。図４中（ｂ）図示では、複数のフィン２ａ、２ａ１、２ａ２は、マイナスイオンとの空気流の吹出し方向を右に移行した場合で、複数のフィン２ａ、２ａ１、２ａ２がそれぞれ所定方向に傾斜する。そして、負電極１との対向関係は、フィン２ａが負電極１より遠ざかるのに対して遠方のフィン２ａ１が負電極１に近接して、両電極１、２の対向関係を適正に保持するように構成されている。
【００２８】
次に、複数のフィン２ａを図４（ｃ）に示すように、右にさらに大きく移行した場合、負電極１との対向関係は、フィン２ａ、２ａ１が負電極１より大きく遠ざかるのに対して遠方のフィン２ａ２が負電極１に近接して、両電極１、２の対向関係を適正に保持するように構成されている。
以上のように、本実施例にあっては、空気流の吹出し方向の可変に対応して両電極１、２間の対向関係が常時、適正に保持されることにより、マイナスイオンを適正に発生しその発生量の安定化を図ることができる。
【００２９】
すなわち、本実施例のマイナスイオン発生器は、送風部と空気通路７を有する機器において、空気通路７の内部に針状の負電極１と、負電極1に高電圧を印加するための直流電源３を配置して成る。本実施例のマイナスイオン発生器は、空気通路７の出口すなわち空気の吹出し口６に、負電極１との対向関係を適正に保持するため可動可能に配設すると共に、１０9Ω〜１０12Ωの電気抵抗値を有する導電性樹脂から成り、かつマイナスイオンが空気流とともに通過する流路を構成する正電極２としての複数のフィン２ａ、２ａ１、２ａ２を有する。そして、本実施例のマイナスイオン発生器は、正電極２である複数のフィン２ａ、２ａ１、２ａ２が負電極１との対向関係を適正に保持するため可動可能に配設されているため、両電極１、２の間にマイナスイオンを適正に発生させ、安定な発生量を実奏し、吹出し口６からマイナスイオンを空気流とともに放出し、マイナスイオンと空気流の放出方向を任意に変えることができる。
【００３０】
本実施例のマイナスイオン発生器は、負電極１が、図２に示されるように、直流電源３の負極側に接続され、その先端が針形状を有する厚さ０．１ｍｍのステンレス板により形成されている。厚さを薄くすることにより、長時間使用時のコロナ放電による電極先端の摩耗に対して、常に０．１ｍｍ以下の鋭角形状を維持でき、マイナスイオンを安定的に発生できる。
【００３１】
本実施例のマイナスイオン発生器は、正電極２が、図２に示されるように、直流電源３の正極側に接続され、ＡＢＳ樹脂などに導電性フィラーを混入、分散させて約１０11Ωの電気抵抗値である。負の高電圧を発生する直流電源３は、負電極１と正電極板２との間に約−３ｋＶの高電圧を付与し、負電極１と正電極板２との間に微弱なコロナ放電を生じさせる電源装置である。
【００３２】
本実施例のマイナスイオン発生器は、自動車バッテリー（直流１２Ｖ、直流２４Ｖなど）や、商用電源（交流１００Ｖなど）（図示せず）などの外部電源８から供給された電力が、図示しない制御回路に入力され、負高電圧電源３に供給される。制御回路は、外部から供給される電圧値を安定化して、直流電源３を安定に動作させる役目を果たす。例えば、外部電源６が車載された自動車用バッテリーの場合、自動車の運転状態（スタート時、走行時、冷間時などにより電圧が変動する）によって定格１２Ｖの電圧値が８Ｖ程度から１６Ｖ程度まで変動する。従って、本実施例のマイナスイオン発生器は、そのまま、直流電源３に入力すると、直流電源３の負の高電圧出力が変動し、マイナスイオンの発生が不安定となるので、これらの対策が施されている。
【００３３】
次に、その他の具体的な実施例を図５、図６に基づき説明する。本実施例のマイナスイオン発生器は、車載用エアコンなどの空気通路７を有する空気吹出し用ルーバーにおいて、空気通路７の内部に設置する針状の負電極１と、負電極１に高電圧を印加するための直流電源３とを有する。空気通路７の出口すなわち空気の吹出し口６には、可動可能な正電極２が、互いの配列間隙間を空気流とともにマイナスイオン５が通過する流路としての開孔部４を構成して装備されている。すなわち、可動可能な正電極２は、複数のフィン２ａからなり、複数のフィン２ａが空気流の方向を変えるために支持部材２ｃの支持部を支点として所定範囲を回動可能に連接装備されている。これにより、本実施例のマイナスイオン発生器は、負電極１と正電極２の間に直流電源３により高電圧を印加して両電極１、２の間に微弱なコロナ放電による放電閉回路を形成し、負電極１と正電極２との間にマイナスイオン５を発生させる。このマイナスイオン５は、空気流との流れの方向を制御する複数のフィン２ａの間に形成される開孔部４を通じて所定の方向に吹出すように構成されている。また、複数のフィン２ａは、１０9Ω〜１０12Ωの電気抵抗値を有する導電性樹脂から成り、負電極１と正電極２との間にマイナスイオンを発生させて、空気の吹出し口６からマイナスイオンを放出すると共に、マイナスイオンの放出方向を任意に変えることができるものである。
【００３４】
本実施例のマイナスイオン発生器は、複数のフィン２ａが、連結部１１と回動可能な支持部９とにより、また中央のフィンに一体的に取り付けたツマミ１０を左右に移行することにより、その全体の吹出し方向を、すなわちマイナスイオンと空気流の通過する流路方向を任意に変えるように構成されている。また、複数のフィン２ａは、空気通路７の空気の吹出し口６に対して、縦型、また横型などその取り付け方向はいずれでも可能である。本実施例のマイナスイオン発生器は、前記実施例とほぼ同様な作用、効果を実奏する。
【００３５】
次に、エアコンなどの空気の吹出し口（レジスタと称される）にマイナスイオン発生器を施した実施例を図７、図８に基づき説明する。ダクト部の上流から、エアコンディショナーや外部から空気が送られ、リテーナー１４の空気通路を通して、縦フィン１３および横フィン１２の作用によって、車室内空間などに方向変更可能な空気が吹出される。リテーナー１４内にはシャットダンパー１５を配置して、空気流量を調整できる。
【００３６】
かかる構成からなるレジスタにおいて、本実施例は、負電極１をリテーナー１４の内壁面に配置し、正電極２を可動可能なシャットダンパー１５により構成する。正電極２は、これを形成するシャットダンパー１５の回転軸近傍に所定の間隙を設けて対向する負電極１が配置されている。これにより、本実施例は、シャットダンパー１５が回動することにより、負電極１と正電極２との対向関係は常に適正に保持され、すなわち、対向間隙がほぼ一定となるように構成されている。このため、本実施例はマイナスイオンを適正に発生させ、安定な発生量を実奏し、空気通路からマイナスイオンを空気流とともに放出し、マイナスイオンとの空気流量を任意に変えることができる。本実施例のマイナスイオン発生器は、前記実施例とほぼ同様な作用、効果を実奏する。
【００３７】
この他の実施例は、図７、図９に示すように、風向などを調整する可動可能な縦フィン１３を正電極２なし、負電極１を縦フィン１３の間の中央に配置した構成から成る。本実施例のマイナスイオン発生器は、前記実施例とほぼ同様な作用、効果を実奏する。
【００３８】
また、この他の実施例は、図１０に示すように、縦フィン１３の一部を鋭利な突起を設けて、これを負電極1とし、または負電極1を縦フィン１３に一体的に組込んで成り、横フィン１２を首振り可動可能な正電極２とした構成から成る。本実施例のマイナスイオン発生器は、前記実施例とほぼ同様な作用、効果を実奏する。
【００３９】
さらに、この他の実施例は、図１１に示すように、リテーナー１４全体を正電極２とし、空気通路内に負電極１を配置した構成から成る。本実施例のマイナスイオン発生器は、前記実施例とほぼ同様な作用、効果を実奏する。
【００４０】
この他の実施例は、図１２に示すように、支持部材２ｃが直線状に限らず、このほか、負電極１の先端部から等距離となるように湾曲した円弧状に形成することが好ましい。この円弧状の支持部材２ｃには、正電極２としての複数のフィン２ａがマイナスイオンを流通可能に適宜間隔を保持し、支持部を支点として可動可能に連接装備されている。このように本実施例は、支持部材２ｃを円弧状に形成しこれに複数のフィン２ａを装備したことにより各フィン２ａの先端部と負電極1との対向間距離をほぼ同一にすることができる。これにより、本実施例のマイナスイオン発生器は、前記実施例に比して、両電極１、２の対向関係をより適正に保持でき、負電極1の先端部から放射状に広がるマイナスイオン風をより一層適正に発生することができ、その発生量の安定化を図ることができ、その他前、記実施例とほぼ同様な作用、効果を実奏する。
【００４１】
上記実施例における正電極２は、導電性樹脂材料が好適で、１０9Ω〜１０12Ωの電気抵抗値を有することが望ましい。
【００４２】
（実施例の作用・効果）
以上の実施例における空気の吹出し口に形成する可動可能な正電極２は、マイナスイオン吹出し方向を任意に変えられると共に、その先端部の方向が変化しても負電極１と正電極２の先端部との対向関係を常にほぼ一定と適正に保持することができ、マイナスイオンを適正に発生し、その発生量の安定化を図ることができる多大な作用、効果を奏する。しかも、以上の実施例は、従来の空気の吹出し口にカーボンなどの導電性フィラーを適量添加することにより、吹出し口が適度な電気抵抗値を有することとなり、静電気帯電を抑制することができる。
【００４３】
さらに、可動可能な正電極２は、１０9Ω〜１０12Ωの電気抵抗値を有する樹脂材料から成ることにより、負電極1と正電極２の間に形成されるコロナ放電が微弱で、かつ正電極２全体に分散するため、両電極１、２間の空気へのイオン化が極めて弱く、オゾンや窒素酸化物などの有害物質が殆んど発生しない。そして、以上の実施例は、純粋なマイナスイオンを効果的に発生することができ、有害物質を含まない安全なリラクゼーション環境が創生できマイナスイオン空間を室内や車室内など提供することができる。
【図面の簡単な説明】
【００４４】
【図１】本発明の実施例のマイナスイオン発生原理を示す概要図である。
【図２】本発明の実施例のマイナスイオン発生器を示す概要図である。
【図３】本発明のその他の実施例のマイナスイオン発生器を示す概要図である。
【図４】本発明のその他の実施例のマイナスイオン発生器を示す概要図である。
【図５】本発明のその他の実施例のマイナスイオン発生器を示す概要図である。
【図６】本発明のその他の実施例のマイナスイオン発生器を示す概要図である。
【図７】本発明の実施例のエアコン吹出し口を示す構造図である。
【図８】本発明のその他の実施例のエアコン吹出し口を示す構造図である。
【図９】本発明のその他の実施例のエアコン吹出し口を示す構造図である。
【図１０】本発明のその他の実施例のエアコン吹出し口を示す構造図である。
【図１１】本発明のその他の実施例のエアコン吹出し口を示す構造図である。
【図１２】本発明のその他の実施例のマイナスイオン発生器を示す概要図である。
【符号の説明】
【００４５】
１…負電極  ２…正電極  ３…直流電源   ４…開孔部  ５…マイナスイオン
６…吹出し口    ７…空気通路      ８…外部電源    ９…正電極の支持部
１０…吹出し口つまみ      １１…正電極の連結部
【図１】
2006004836.tif 000003
【図２】
2006004836.tif 000004
【図３】
2006004836.tif 000005
【図４】
2006004836.tif 000006
【図５】
2006004836.tif 000007
【図６】
2006004836.tif 000008
【図７】
2006004836.tif 000009
【図８】
2006004836.tif 000010
【図９】
2006004836.tif 000011
【図１０】
2006004836.tif 000012
【図１１】
2006004836.tif 000013
【図１２】
2006004836.tif 000014